(57)【要約】【課題】  録画したまたは録画予約した番組のタイトルを入力しようとする場合に、その入力が容易な映像記録装置および入力予測方法を提供する。【解決手段】  この発明の映像記録装置（１）は、記録すべき番組または記録が予約された番組に関連する情報から番組を特定するための番組名や特定の文字列の表示に用いる単語を形態素解析により抜き出し、抜き出された単語を、その単語に関連付けられた識別情報とともに保持し、記録された番組または記録が予約された番組を特定するためにタイトルを入力するために、番組を特定するための番組名や特定の文字列に対応する読みのうちの少なくとも２文字が入力された時点で、保持されている識別情報に基づいて、保持されている単語を変換候補として出力する際の優先順位を設定し、その優先順位に従って、変換候補として保持されている単語を出力することができる。【選択図】  図５
2007299217.tif 000002
【特許請求の範囲】
【請求項１】
番組に関連する情報から、番組を特定するための番組名や特定の文字列の表示に用いる単語を抜き出す文字抜き出し処理部と、
前記文字抜き出し処理部により抜き出された単語を保持する辞書部と、
前記番組を特定するための番組名や特定の文字列に対応する読みのうちの少なくとも２文字が入力された時点で、前記辞書部に保持されている単語を、所定の規則に従って変換候補として出力する文字入力制御部と、
前記番組名や文字列により特定される番組が記録される映像記録部と、
を有することを特徴とする映像記録装置。
【請求項２】
前記文字抜き出し処理部は、前記番組に関連する情報から特定の単語を抜き出すことを特徴とする請求項１記載の映像記録装置。
【請求項３】
前記辞書部は、前記映像記録部が保持する番組を特定するための番組名や特定の文字列に対応する読みと自身が保持する単語とを関連付けるとともに、前記番組に関連する情報中に前記抜き出された単語が含まれるか否かを示す識別情報を付帯的に保持することを特徴とする請求項1または２記載の映像記録装置。
【請求項４】
前記辞書部は、前記映像記録部が保持する番組を特定するための番組名や特定の文字列に対応する読みと自身が保持する単語とを関連付けるとともに、前記単語が入力された回数を示す識別情報を付帯的に保持することを特徴とする請求項１または２記載の映像記録装置。
【請求項５】
前記辞書部は、前記映像記録部が保持する番組を特定するための番組名や特定の文字列に対応する読みと自身が保持する単語とを関連付けるとともに、前記番組に関連する情報中に前記抜き出された単語が含まれるか否かを示す第１の識別情報および前記単語が入力された回数を示す第２の識別情報を付帯的に保持することを特徴とする請求項１または２記載の映像記録装置。
【請求項６】
前記文字入力制御部は、前記辞書部に保持されている前記番組名や特定の文字列を文字入力の条件に基づいて並べ替えることを特徴とする請求項２記載の映像記録装置。
【請求項７】
前記文字入力制御部は、前記辞書部に保持されている前記番組名や特定の文字列を文字入力画面が要求する区分に基づいて並べ替えることを特徴とする請求項６記載の映像記録装置。
【請求項８】
番組に関連する情報から、番組を特定するための番組名や特定の文字列の表示に用いる単語を抜き出す文字抜き出し処理部と、
前記文字抜き出し処理部により抜き出された単語を保持する辞書部と、
前記番組を特定するための番組名や特定の文字列を入力する設定が選択された時点で、前記辞書部に保持されている単語を、選択された番組名や特定の文字列を入力する設定に対応する所定の規則に従って変換候補として出力する入力候補制御部と、
前記番組名や文字列により特定される番組が記録される映像記録部と、
を有することを特徴とする映像記録装置。
【請求項９】
前記入力候補制御部は、前記辞書部に保持されている前記番組名や特定の文字列を文字入力画面が要求する区分に基づいて並べ替えることを特徴とする請求項８記載の映像記録装置。
【発明の詳細な説明】
【技術分野】
【０００１】
この発明は、録画したまたは録画予約した番組のタイトルを入力しようとする場合に、その入力が容易な映像記録装置に関する。
【背景技術】
【０００２】
記録容量の大きな記録装置であるハードディスク（ＨＤＤ）等が組み込まれた映像記録装置（以下、単に映像記録装置と証する）が広く普及している。
【０００３】
これにともない、今日では、単一の映像記録装置において１０００時間にも及ぶ録画も可能である。
【０００４】
このため、多くの映像記録装置においては、録画済の番組あるいは録画予約時に、対象の番組のタイトル名を、その番組と関連付け手記録することができる。
【０００５】
しかしながら、録画済の番組あるいは録画予約時に、その番組のタイトル名を記録することは、チャンネルの切り替えや、録画開始、録画終了等の通常の操作に比較して、煩雑である。
【０００６】
一方で、上述した映像記録装置においては、放送局または配信先から番組に関連付けられて提供される電子番組情報（Ｅｌｅｃｔｒｏｎｉｃ  Ｐｒｏｇｒａｍ  Ｇｕｉｄｅ）を取得し、自動的に任意の番組の録画を予約し、あるいは実際に録画するものも既に実用化されている。
【０００７】
なお、ＥＰＧに基づいて、番組の録画を予約し、あるいは録画する場合、そのタイトルを自動的に取り込んで、記録領域や録画予約を、随時識別可能とした映像記録装置も既に実用化されている。この場合、記録されるタイトル名は、映像記録装置に固有の変換規則あるいはＥＰＧから取り込む際の抜き出し方法に従って、規定される。
【０００８】
例えば、ＥＰＧから自動生成された辞書を、かな漢字変換時の変換候補の順位の決定に利用する、ものが既に提案されている（例えば、特許文献１）。
【特許文献１】特開２００３−１７４５９７
【発明の開示】
【発明が解決しようとする課題】
【０００９】
しかしながら、特許文献１には、ユーザが入力したひらがなから漢字への変換において、ＥＰＧに示されている番組情報に含まれる漢字は、変換候補として用意される（かな漢字変換のヒット率は向上する）が、ユーザには、総てのかな（ひらがな）を入力する作業が要求される。
【００１０】
この発明の目的は、録画したまたは録画予約した番組のタイトルを入力しようとする場合に、その入力が容易な映像記録装置を提供することである。
【課題を解決するための手段】
【００１１】
この発明は、番組に関連する情報から、番組を特定するための番組名や特定の文字列の表示に用いる単語を抜き出す文字抜き出し処理部と、前記文字抜き出し処理部により抜き出された単語を保持する辞書部と、前記番組を特定するための番組名や特定の文字列に対応する読みのうちの少なくとも２文字が入力された時点で、前記辞書部に保持されている単語を、所定の規則に従って変換候補として出力する文字入力制御部と、前記番組名や文字列により特定される番組が記録される映像記録部と、を有することを特徴とする映像記録装置を提供するものである。
【発明の効果】
【００１２】
この発明の映像記録装置においては、録画したまたは録画予約した番組毎に、そのタイトル名をユーザが入力する際、ひらがなを漢字に変換する操作が低減されるとともに、予期せぬ漢字に変換されることが防止される。
【００１３】
これにより、録画したまたは録画予約した番組のタイトルを入力しようとする場合に、入力が簡単となり、しかも録画したまたは録画予約した番組のタイトルへ漢字変換する場合に、変換精度が高められるとともに、予期せぬ漢字に変換されることに起因する入力時間のロスが低減される。
【発明を実施するための最良の形態】
【００１４】
以下、図面を参照して、この発明の実施の形態について詳細に説明する。
【００１５】
図１に、本発明の実施の形態が適用可能な記録再生装置の構成の一例を示す。
【００１６】
映像記録装置１は、後段に、それぞれを詳細に説明するが、記録／再生部１０、データ処理部２０、映像入力部３０、映像出力部４０、録画制御部６０、表示制御部７０および主制御部５０等を含む。
【００１７】
記録／再生部１０は、例えばハードディスク記録装置を有し、公衆向けに、テレビ放送として放送局から送信される映像（番組）を１００時間程度記録可能な容量が与えられたハードディスクドライブ部（以下、ＨＤＤと示す）１２、ＨＤＤ１２と同様の規格で圧縮されたデータ（番組）が記録可能で、外部へのデータ（番組）の持ち出しと、外部からの持ち込みを可能とする記録媒体、例えば光ディスクへのデータの記録と再生に利用される光ディスクドライブ部１３、およびＨＤＤ１２および／または光ディスクドライブ部１３と、以下に詳述するデータ処理部２０との間で、圧縮されたデータ（映像信号＝番組）の転送に利用されるデータ転送制御部１１を含む。
【００１８】
記録／再生部１０においては、データ処理部２０において圧縮されたデジタル信号が、例えばユーザによる指示に応じ、データ転送制御部１１を経由して、ＨＤＤ１２内の所定の記録領域または光ディスクドライブ部１３にセットされた光ディスクＤに記録される。もちろん、再生要求があった場合、要求に応じて再生されたデータがデータ処理部２０に出力される。
【００１９】
データ処理部２０は、データ編集部２１、エンコーダ２２、デコーダ２３、および音声映像処理部２４等を含み、後段に説明する映像入力部３０から供給されるデータ（番組）を所定形成に圧縮したのち記録／再生部１０に転送するとともに、再生要求に従って記録／再生部１０から出力されたデータを復号して、後段の映像出力部４０に出力する。
【００２０】
データ編集部２１においては、圧縮されたデータを記録／再生部１０に転送する際に、記録するための区分、例えば図示しないが、任意数のフォルダ（ディレクトリ）のうちの特定されたフォルダに対して、記録対象の番組（データ）を記録が指示されるとともに、その番組に「番組名」や「映画」あるいは「音楽」等の「ジャンル識別名」、「アーティスト（出演者）名」等の『データ特定項目』が付加可能である。もちろん、既に付加された『データ特定項目』は、編集もしくは消去可能である。
【００２１】
エンコーダ２２は、周知の圧縮器であり、映像入力部３０を経由して供給されるデータ（番組）は、予め指定された圧縮方法（規格）および圧縮率で（エンコーダ２２により）圧縮される。なお、エンコーダ２２には、周知の多重化部が組み込まれてもよい、ことはいうまでもない。
【００２２】
デコーダ２３は、周知の復号器（伸長器）であり、エンコーダ２２による圧縮方法（規格）に対応する復号方法（規格）で、記録／再生部１０から供給されるデータ（番組）を復号（伸長）して、後段の映像出力部４０に向けて出力する。また、デコーダ２３には、周知の分離部が組み込まれてもよいことはいうまでもない。
【００２３】
音声映像処理部２４においては、デコーダ２３において復号された映像データと（通常は、映像信号と独立に復号される）音声データとが、合成される（出力タイミングが整合される）。なお、映像出力部４０に向けて出力されるデータには、音声映像処理部２４により、必要に応じて、ＯＳＤ表示（ＯＳＤ５４により生成される操作用画面表示）が合成される。
【００２４】
映像入力部３０は、例えば外部からの映像信号／入力信号の入力を受け入れる外部入力部３１、例えば放送衛星（ＢＳ）もしくは通信衛星（ＣＳ）を通じて提供される番組（データ）を受け入れるためのＢＳ／ＣＳチューナ部３２、例えば放送局からの公衆向け放送を受け入れるための地上波チューナ部３３、およびネットワーク網を経由して配信元から供給される（視聴可能な）データ（番組）受け入れるネットワークコントローラ３４等を有する。なお、ネットワークコントローラ３４は、例えば公衆通信網（電話回線）と接続可能であり、通信網を介して、外部との間で任意に、データの授受が可能である。
【００２５】
外部入力部３１、ＢＳ／ＣＳチューナ部３２、地上波チューナ部３３、ならびにネットワークコントローラ３４等は、セレクタ部３５と接続され、先に説明したエンコーダ２２（データ処理部２０）に供給されるデータ（番組）は、エンコーダ２２が同時に処理可能なタイトル（番組）数または容量もしくは転送レート等に基づいて、（セレクタ部３５により）規定される。
【００２６】
映像出力部４０は、音声映像処理部２４（データ処理部２０）から出力された復号済み信号（再生映像および音声）を、セレクタ４１を経由して、外部出力部４２、Ｉ／Ｆ（インタフェース４３、広く一般に普及しているテレビ（モニタ）Ｍに出力する映像／音声出力端４４等を含む。なお、ｌ／Ｆ４３の出力は、例えばパーソナルコンピュータ（ＰＣ）や、家庭内あるいは企業内等において普及している小規模ネットワークや、ＩＥＥＥ１３９４等に代表される特定のプロトコルに従うデータ転送システムとして利用可能である。
【００２７】
主制御部５０は、上述した記録／再生部１０、データ処理部２０、映像入力部３０および映像出力部４０のそれぞれに加え、以下に説明する録画制御部６０と表示制御部７０とを含む映像記録装置１の動作を制御するもので、個々の要素間における制御信号の伝送に利用される制御バス５１、主制御装置であるＭＰＵ（Ｍａｉｎ  Ｐｒｏｃｅｓｓｉｎｇ  Ｕｎｉｔ）５２、ワーク（キャッシュ）メモリ（ＲＡＭ）５３、ＯＳＤ（Ｏｎ  Ｓｃｒｅｅｎ  Ｄｉｓｐｌａｙ）ユニット５４、ならびにＭＰＵ５２のファームウエアとして（もしくは図示しないが、独立して）設けられ、映像記録装置１を動作させるためのイニシャルプログラムや、個々の制御コマンドに対応する動作や信号処理の方法、通信のための手続き等が記録されているＲＯＭを含む。
【００２８】
録画制御部６０は、例えば、録画情報制御部６１、番組表生成部６２、録画予約制御部６３およびユーザ辞書６４等を含む。
【００２９】
録画情報制御部６１では、例えばネットワーク網を通じて接続された外部のサーバ（情報供給元）１０１（後述）や映像配信先（ネットワーク網によりアクセス可能な映像提供機関（情報供給元１０１とは独立している場合もある）等により提供される電子番組案内情報（Ｄｙｎａｍｉｃ  Ｅｌｅｃｔｒｏｎｉｃ  Ｐｒｏｇｒａｍ  Ｇｕｉｄｅ，以下、Ｄ−ＥＰＧと呼称する）に基づいて、ユーザによる録画予約の設定（入力／解除（消去））や予約情報の変更等が可能である。なお、Ｄ−ＥＰＧとは独立したもので、放送波に重畳されているＥＰＧ（Ｅｌｅｃｔｒｏｎｉｃ  Ｐｒｏｇｒａｍ  Ｇｕｉｄｅ）も既に実用化されている。
【００３０】
番組表生成部６２においては、サーバ１０１からネットワークまたは通信回線により、あるいは放送波に重畳されているＥＰＧ表示のための信号から取得したＥＰＧおよび録画情報制御部６１により規定される［予約番組リスト］や、ＥＰＧに対応する表示すなわち番組表を、映像出力部４０に接続されるモニタ装置（テレビ）の画面として表示可能に、画面表示がデザイン（生成）される。
【００３１】
録画予約制御部６３においては、例えば、録画すべき番組（データ）名やその供給元、ならびに日時等の録画条件が保持されるとともに、実際の録画のために時刻（日時）情報が管理される。なお、録画予約制御部６３は、以下に説明する表示制御部７０と共用可能なタイマ（時計）コントローラ（タイママイコン）が含まれてもよい。
【００３２】
ユーザ辞書６４は、例えば、サーバ１０１からネットワークまたは通信回線により、あるいは放送波に重畳されているＥＰＧ表示のための信号から取得したＥＰＧから取得した「タイトル（番組名）」、「固有名詞（地名／人名）」、「シリーズを特定する文字列」等の文字情報や、ユーザが特定（選択）し、あるいは過去に入力した文字とその使用頻度等を保持し、後述する［入力単語の予測（候補選択）］の支援に利用可能である。
【００３３】
表示制御部７０は、例えば映像記録装置１の詳述しない表示パネルに設けられる時計部への時刻および年月日の表示や、装置の動作状態、録画予約の有無、録画時の録画モード等が表示される表示部７２と、表示パネル（もしくは装置１の所定の位置）に設けられる操作部７３、および表示部７２への表示ならびに操作部７３を経由してユーザにより入力される制御コマンドあるいは入力情報を授受するための、パネル制御部７１等を含む。
【００３４】
なお、例えばリモコン端末Ｒにより入力される制御コマンドおよび入力情報は、図１に示す本件の映像記録装置１においては、操作部７３または表示部７２の所定の位置に設けられる（図示しない）リモコン信号受信部において受け入れられ、パネル制御部７１を通じて主制御部５０に入力される。もちろん、リモコン（端末）Ｒからの信号（コマンド）は、図示しないが専用の受信部を経由してそのまま主制御部５０に供給されてもよいことはいうまでもない。
【００３５】
リモコン端末Ｒは、映像記録装置１による映像の録画に際して、録画先、例えばＨＤＤ１２または光ディスクＤ（光ディスクドライブ部１３）の特定、既に記録されている映像（番組）やそのタイトルまたは『データ特定項目』の編集、映像供給元の切り替えおよび予約録画の設定等に代表される各種、制御コマンドならびに入力すべき情報の入力に利用される。
【００３６】
ネットワークコントローラ３４を経由して接続可能なネットワーク網、例えば広く利用されているインターネットを介して接続されるサーバ（情報供給元）１０１には、例えば番組情報登録部１１１、番組情報格納部１１２、および通信部（通信制御部）１１３等が用意されている。なお、サーバ１０１には、例えば直接（専用線）またはインターネットを通じて、映像供給元である放送局Ｔ等が情報を提供可能に接続されている。もちろん、ＥＰＧ向けの情報としては、放送波そのものに重畳されている信号も利用可能である。
【００３７】
図２は、図１に示した映像記録装置において任意の番組が録画予約される際に、サーバ１０１からネットワークまたは通信回線により、あるいは放送波に重畳されているＥＰＧ表示のための信号から取得したＥＰＧから取得した「タイトル（番組名）」、「固有名詞（地名／人名）」あるいは「シリーズを特定する文字列」等の文字情報を取得する手順の一例を示す。
【００３８】
例えば、ネットワークまたは通信回線によりサーバ１０１から取得可能なＤ（ダイナミック）−ＥＰＧ、あるいは放送波に重畳されているＥＰＧ表示のための信号から取得可能なＥＰＧからは、図３に示すような「番組ナビ（チャンネルガイド）」画面３０１、および図４に示すような「（特定されたチャンネルに対応する）詳細説明」画面４０１を表示可能なデータが供給されている。
【００３９】
図３は、「番組ナビ（ナビゲーション）画面」の『メニュー画面』の表示例を示す。なお、以下に説明する個々の『表示』は、映像記録装置１において、映像出力部に接続されたテレビ受像機の画面に表示される表示例であり、その『表示』となる表示パターンは、ＯＳＤを経由して音声映像処理部でビデオ信号に重ね合わせられることはいうまでもない。また、ＯＳＤにおいて生成されるパターンは、例えば録画制御部の番組表生成部や、ＭＰＵのファームウエアまたは主制御部に用意される図示しないＲＯＭ等に、予め格納されている。
【００４０】
図３において、『表示』３０１には、「メニュー画面」表示のうちの任意の１ページ分が表示されていることを示す『タイトル表示』３０２が含まれる。『タイトル表示』３０２内またはその近傍の所定の位置には、『時刻表示』３０３と、現在表示されている『おまかせ番組録画の対象番組（タイトル）のページ数を示す表示』３１０が含まれる。
【００４１】
『表示』３０１において、『タイトル表示』３０２の近傍または所定の位置には、「項目名」をユーザに報知するための『項目名表示』３１１、複数の「タイトル（番組）」の存在、および任意の「タイトル（番組）」が選択可能であることを示す複数の『バー（項目）表示』群３１２が表示される。
【００４２】
『表示』３０１において、『タイトル表示』３０２と画面上で概ね対をなす位置（『バー（項目）表示』群３１２に関連付けられた所定の位置）には、ユーザによる選択指示、例えばリモコン端末Ｒの操作により、『バー（項目）表示』群３１２の任意の『バー（項目）表示』の選択、選択された『バー（項目）表示』を確定する制御コマンドの入力等に用いられる『選択／決定表示』３０４が表示される。
【００４３】
『表示』３０４には、『バー（項目）表示』群３１２の任意の『バー（項目）表示』を選択するための『項目（バー）選択表示』３０５、１つ前の操作（動作）に対応する表示（画面）を表示させるための『戻る表示』３０７、任意の『バー（項目）表示』において案内されている番組（タイトル）を録画予約するための「予約」コマンドを入力するために利用される『予約表示』３０８、任意の『バー（項目）表示』において案内されている番組（タイトル）の詳細な説明を表示させるための『番組説明表示』３０９、等の表示が含まれる。なお、それぞれの『表示』３０５，３０７〜３０９は、例えばリモコン端末Ｒからの制御コマンドの入力を促すガイド表示であり、詳述しないがリモコン端末Ｒに設けられている入力キーに割り当てられている「名称（ボタン名）」を表示している。
【００４４】
『表示』３０１において、『項目名表示』３１１および『バー（項目）表示』群３１２の近傍には、例えば『項目選択表示』３０５により、現在（仮に）選択された状態にある『バー（項目）表示』３１２に対応する番組名（タイトル）が表示される『番組名（タイトル）表示』３１３とその番組に関するデータが表示される『番組データ表示』３１４が表示される。なお、『番組データ表示』３１４には、例えば［放送（配信）源］、［ジャンル］、［音声モード］、［画面サイズ情報］等が含まれる。
【００４５】
図４は、図３に示した『バー（項目）表示』３１２の任意の１つと対応され、『形態素解析』に用いられる『番組データ』の一例を示す。なお、図４に示す『番組データ』は、番組表生成部６２（録画制御部６０）あるいはＲＡＭ５３（主制御部５０）内の任意の記憶部に保持（格納）される。
【００４６】
図４に示す「『番組データ』４０１は、例えば「項目欄」４１１、「内容欄」４１２、および「内容「例」欄」４１３等を含む。
【００４７】
「項目欄」４１１には、例えば［チャンネル［ｃｈ］（番組供給源）］、［開始日時］、［終了日時］、［番組タイトル］、［番組サブタイトル］、［出演者名］、［ジャンル（区分）名］、［番組説明］、・・・、等が含まれる。
【００４８】
「内容欄」４１２には、［チャンネル［ｃｈ］］欄に対応されて『チャンネルを特定するＩＤ（文字又は記号列）』が、［開始日時］欄に対応されて『ｙｙｙｙ（年，西暦）／ｍｍ（月）／ｄｄ（日）／ｈｈ（時間，２４時制）／ｍｍ（分）、いずれも（アルファベットの数を桁数とする数字列）』が、記録される。以下、同様に、［終了日時］欄には、『ｙｙｙｙ（年，西暦）／ｍｍ（月）／ｄｄ（日）／ｈｈ（時間，２４時制）／ｍｍ（分）、いずれも（アルファベットの数を桁数とする数字列）』が、［番組タイトル］欄には、『番組タイトル（文字列）』が、［番組サブタイトル］欄には、『番組サブタイトル（文字列）』が、［出演者名］欄には、『出演者名（文字列）』が、［ジャンル（区分）名］には、『Ｄ−ＥＰＧまたはＥＰＧ上で用いられている識別（カテゴリ）表示（文字列）』が、［番組説明］欄には、『Ｄ−ＥＰＧまたはＥＰＧにより供給されている説明文（文字列）』が、それぞれ、対応される。
【００４９】
「内容「例」欄」４１３には、［チャンネル［ｃｈ］］欄に対応されて、例えば『ＮＢＬ（チャンネル名または事業者名）』が、［開始日時］欄に対応されて、例えば『２００５（年，西暦）／１０（月）／１０（日）／０７（時間，２４時制）／００（分）』が、それぞれ、記録される。以下、同様に、［終了日時］欄には、『２００５（年，西暦）／１０（月）／１０（日）／０９（時間，２４時制）／００（分）』が、［番組タイトル］欄には、『大リーグ中継』が、［番組サブタイトル］欄には、『モンキーズｖｓナッツ』が、［出演者名］欄には、『長山茂男』が、［ジャンル（区分）名］には、『スポーツ／野球』が、［番組説明］欄には、『第○回戦、△△△球場、衛星中継等』が、それぞれ、対応される。
【００５０】
なお、［ジャンル（区分）名］については、サーバ１０１側で予め決められているＤ−ＥＰＧ、もしくは放送波に重畳されているＥＰＧの製作者の意図を反映して、特別なカテゴリ表記が用いられることもある。
【００５１】
再び、図２を参照して、文字情報を取得する手順の一例を示す。
【００５２】
図３に示すような「番組ナビ（チャンネルガイド）」画面３０１が表示されている状態において、リモコンＲ（図１参照）が操作され、特定の番組が選択されると、図４に示すような『番組データ』４０１が取得される（Ｓ１−１）。
【００５３】
次に、形態素解析により、任意の［単語］が抜き出される（Ｓ１−２）。
【００５４】
形態素解析としては、例えば図４に示した「内容「例」欄」４１３が参照され、『タイトル名』、『サブタイトル名』および『人名（出演者名）』等から、特定の文字列が選択される。なお、例えば、『地名』や『固有名詞』、あるいは『“  ”（引用符号）』等により特別に区切られた文字列も、形態素解析により切り出される。また、抜き出す文字列（［単語］）については、ユーザ辞書６４または録画制御部６０内に予め、抜き出す対象となる「品詞」を設定することにより特定の品詞のみが抜き出される（その例が、上述の『人名（出演者名）』や『地名』である）。このとき、抜き出した［単語］については、その［読み（単語の読み）］が、［単語］とともに保持される。
【００５５】
続いて、ステップＳ１−２で抜き出された［単語］が、既に辞書（図１に示したユーザ辞書６４）に登録されているか否かが判断される（Ｓ１−３）。
【００５６】
ステップＳ１−３において、ステップＳ１−２で抜き出された［単語］が（ユーザ）辞書に登録されていないと判断された場合（Ｓ１−３−Ｎｏ）、抜き出された［単語］が、辞書（ユーザ辞書）に登録される（Ｓ１−４）。このとき、ステップＳ１−２により先に説明した［読み（単語の読み）］に加えて、［ユーザの入力回数（嗜好学習）］すなわち入力回数も、保持される。
【００５７】
次に、ステップＳ１−４で辞書に登録された［単語］が、既に保持している番組情報に含まれているか否かの情報が、上述の登録された［単語］と関連付けられて、辞書の所定の領域に格納される（Ｓ１−５）。このとき、例えば『人名（出演者名）』等に代表される区分（領域）も用意される。
【００５８】
一方、ステップＳ１−３において、ステップＳ１−２で抜き出された［単語］が（ユーザ）辞書に登録されていると判断された場合（Ｓ１−３−Ｙｅｓ）、ステップＳ１−５により上述したように、その［単語］が、既に保持している番組情報に含まれているか否かの情報が、上述の登録された［単語］と関連付けられて、辞書の所定の領域に格納される（番組情報と［単語］の関連が登録される）。
【００５９】
なお、ステップＳ１−５において、その［単語］が、既に保持している番組情報に含まれているか否かの情報が、上述の登録された［単語］と関連付けられて、辞書の所定の領域に格納されることは、例えば図６に示すように、『番組表中に出現』するか否かとして識別されることを示す。また、例えば『人名』という欄では、その存在が「１」、非存在が「０」で示される。
【００６０】
以上説明したように、図２に示す各工程（ステップＳ１−２〜Ｓ１−５）により、図６に一例を示すように、辞書（ユーザ辞書）内には、上述した『番組表中に出現』の欄に加えて、ステップＳ１−４により説明した『ユーザの入力回数（嗜好）』、『単語』および『読み』も、保持される。
【００６１】
次に、図５を用いて、例えば録画予約された番組あるいは録画済の番組のタイトル表示領域（例えば、ＨＤＤ１３に記録されている）に、ユーザが、番組名（タイトル）を入力する際に適用可能な文字入力（入力予測文字入力）の一例を示す。
【００６２】
なお、文字入力の実際の制御は、既に実用化されている技術であるから、詳細な説明は省略するが、例えば録画制御部６０に割り当てられてもよいし、録画制御部６０と主制御部５０のそれぞれに、必要に応じて分担されてもよいことはいうまでもない。
【００６３】
図８に示すように、「番組ナビ（メインメニュー）」画面７０１が表示されている状態で、リモコンＲにより（ユーザから）『録画予約一覧』表示７１１が選択されると、図９に示すように、「番組ナビ（録画予約一覧）」画面８０１が表示される。なお、「番組ナビ（録画予約一覧）」画面８０１においては、［新規予約］であることを示す「新規予約」表示８１１、既に予約されている［録画予約（番組）］表示８１２、および［録画予約（番組）］表示８１２のうち、現在［録画予約（番組）］が決定（確定）されようとしている［録画予約（番組）］表示欄を示す「入力中」表示８１３、等が表示される。
【００６４】
リモコンＲからの入力により、図９の「入力中」表示８１３が選択されると、図１０に示すように、［文字入力］画面９０１が表示される。なお、文字入力画面９０１は、例えば［日付（年／月／日）］が表示される「日付」表示領域９１１、［予約時刻（２４時制）］が表示される「時刻」表示領域９１２、［（予約対象の）チャンネル］が表示される「チャンネル」表示領域９１３、［入力可能な文字の区分（漢字／ひらがな／カタカナ／数字）］が表示される「文字区分」表示領域９１４、［（文字区分に対応する入力可能な）文字群］が表示される「文字」表示領域９１５、［スペース（空白）の入力に利用される『スペース』］が表示される「スペース」表示領域９１６、［（入力された文字列の変換、クリア（取り消し）、確定等の制御コマンド）の入力に利用される「設定ボタン」］群が表示される「操作ガイド」表示領域９１７、［入力すべき文字およびその位置を示す「カーソル」］が表示される「入力中文字列」表示領域９１８および［入力（決定）された文字列］が表示される「タイトル」表示領域９１９等を含む。
【００６５】
再び、図５を参照して、ユーザが、番組名（タイトル）を入力する際に適用可能な文字入力（入力予測文字入力）の一例を示す。
【００６６】
上述したように、図１０に示すような「文字入力画面」９０１が表示されている状態において、リモコンＲ（図１参照）が操作され、例えば「文字区分」表示領域９１４から『ひらがな』が選択されると、「文字」表示領域９１５が表示される。
【００６７】
ここで、任意の文字が１文字以上入力される（Ｓ２−１−Ｙｅｓ）と、図６に示した辞書に保持されている入力候補となる［単語］が辞書から抜き出される（Ｓ２−２）。もちろん、任意の文字が１文字以上入力されるまで、所定時間あるいはユーザにより取り消しが指示されるまでの間、入力待ち状態が継続される（Ｓ２−１−Ｎｏ）。
【００６８】
なお、ステップＳ２−２においては、先頭の文字列（任意の文字数）が、ユーザの入力した文字列と一致し、且つ辞書内に保持する番組表に出現する単語が抜き出される。
【００６９】
ステップＳ２−２で少なくとも１つの［単語］が辞書から抜き出された場合（Ｓ２−３−Ｙｅｓ）、入力候補となる［単語］に優先順位が与えられる（Ｓ２−４）。なお、ステップＳ２−２において、ユーザの入力した文字列と一致する［単語］が辞書内に存在しない場合には、本発明の範疇ではない別のルーチンが実行される（別のルートへ）。
【００７０】
以下、ステップＳ２−４で決定された優先順に、入力候補となる［単語］が図１０の「入力中文字列」表示領域９１８に表示される（Ｓ２−５）。
【００７１】
なお、ステップＳ２−４において抜き出された［単語］に表示優先順位をつける方法としては、例えば    
ア）ユーザが入力した回数の多い単語、    
イ）ユーザが入力した回数が同じ単語が複数存在する場合、５０音順、    
とする。
【００７２】
例えば、［例１］ユーザによって「あい」が入力された場合には、    
図６に示した［番組表中に出現］欄（右欄）が参照され、辞書に登録されている単語で「あい」から始まる単語が、    
「あい」      −  『愛』    
「あいいろ」  −  『藍色』    
「あいおい」  −  『相老い』    
「あいかぎ」  −  『合鍵』    
「あいかた」  −  『相方』    
である場合に、入力予測の候補対象は、番組表中に出現する『愛』、『相老い』、『相方』となる。
【００７３】
なお、この３つの単語の中で『相老い』は、これまでにユーザの入力した回数が２回で最も多いので、『相老い』が候補として優先的に表示される。
【００７４】
一方、『愛』と『相方』は、入力回数が等しいので、優先順位を、５０音順とする。
【００７５】
従って、ユーザが「あい」を入力した場合は、「入力中文字列」表示領域９１８には、『相老い』、『愛』、『相方』の順に入力候補が表示される。
【００７６】
例えば、［例２］ユーザによって「あい」が入力された場合であって、番組表が取得できなかった場合（番組表中に出現しない単語も候補とする場合）には、入力予測の候補対象は、図６の例では、上述の『愛』、『藍色』、『相老い』、『合鍵』および『相方』となる。
【００７７】
この５つの単語の中で『合鍵』は、これまでにユーザの入力した回数が３回で最も多いことから、『合鍵』が候補として優先的に表示される。
【００７８】
次に、『相老い』は、ユーザの入力した回数が２回であるから、『合鍵』に続く候補として２番めに表示される。
【００７９】
以下、『愛』と『相方』は、入力回数が等しいので、優先順位を５０音順とし、３番めと４番目に表示される。
【００８０】
なお、ユーザの入力した回数が０回である『藍色』が５番目として表示される。
【００８１】
従って、ユーザが「あい」を入力した場合であって、例えば番組表が取得できなかった場合には、画面には、『合鍵』、『相老い』、『愛』、『相方』、『藍色』の順に、入力候補が表示される。
【００８２】
なお、図７に示すように、文字入力画面のうちの特定の区分の単語が入力されることが明らかな画面、例えば「人名を入力する画面」が選択された場合（Ｓ３−１−Ｙｅｓ）には、文字が入力される前に、辞書（ユーザ辞書）６４に保持された人名が図６に示した辞書に保持されている入力候補となる［単語］が辞書から抜き出される（Ｓ３−２）。もちろん、所定時間あるいはユーザにより取り消しが指示されるまでの間、入力待ち状態が継続される（Ｓ３−１−Ｎｏ）。
【００８３】
なお、ステップＳ３−２においては、辞書６４において、例えば［人名］で区分された［単語］であって、辞書内に保持する番組表に出現する単語が抜き出される。
【００８４】
ステップＳ３−２で複数の候補が存在することが認められた場合には（Ｓ２−３−Ｙｅｓ）、例えば入力回数等が参照され、候補となる［単語］に優先順位が与えられる（Ｓ３−４）。
【００８５】
以下、ステップＳ３−４で決定された優先順に、候補となる［単語］が図１０の「入力中文字列」表示領域９１８に表示される（Ｓ３−５）。
【００８６】
以上説明したように、この発明の実施形態が適用される映像記録装置においては、番組情報から自動生成された辞書は、ユーザの入力途中の文字列から、入力される単語を予測し、入力候補を決定するために利用される。また、単語入力途中に入力候補となる単語が表示され、単語の選択、確定（入力）できることによって、ユーザは単語の文字列を最後まで全て入力する操作を省略できる。しかも、入力単語が漢字であるとき、ひらがなを漢字に変換する操作を省略できる。なお、単語による番組の検索時には、存在する単語だけが入力候補として表示されるので、ユーザが検索結果の件数が０件の単語を入力する可能性が減る。
【００８７】
すなわち、入力しようとしている単語が漢字であるとき、ひらがなを入力している途中で、番組表で用いられ、しかもユーザの利用頻度の高い漢字が表示されることから、ひらがなを漢字に変換する操作が省略できる。
【００８８】
従って、入力単語を、録画したまたは録画予約した番組のタイトルへ漢字変換する場合に、変換精度が高められるとともに、予期せぬ漢字に変換されることに起因する入力時間のロスが低減される。
【００８９】
このように、この発明の映像記録装置においては、録画したまたは録画予約した番組毎に、そのタイトル名をユーザが入力する際、ひらがなを漢字に変換する操作が低減されるとともに、予期せぬ漢字に変換されることが防止される。
【００９０】
これにより、録画したまたは録画予約した番組のタイトルを入力しようとする場合に、入力が簡単となり、しかも録画したまたは録画予約した番組のタイトルへ漢字変換する場合に、変換精度が高められるとともに、予期せぬ漢字に変換されることに起因する入力時間のロスが低減される。
【００９１】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００９２】
【図１】この発明の実施の形態が適用可能な映像記録装置の構成の一例を示す概略図。
【図２】図１に示した映像記録装置において、任意の番組が録画予約される際に、ＥＰＧ等から文字情報を取得する手順の一例を示すフローチャート。
【図３】図１に示した映像記録装置において、モニタ装置が表示可能に出力される「番組ナビ（チャンネルガイド）」画面の表示例を示す概略図。
【図４】図１に示した映像記録装置において、モニタ装置が表示可能に出力される「（特定されたチャンネルに対応する）詳細説明」画面の表示例を示す概略図。
【図５】録画予約された番組あるいは録画済の番組のタイトル表示領域に、ユーザが番組名（タイトル）を入力する際に適用可能な文字入力（入力予測文字入力）の手順の一例を示すフローチャート。
【図６】図２に示したフローチャートに従って取得した文字（単語）から生成される辞書のデータ構造の一例を示す概略図。
【図７】録画予約された番組あるいは録画済の番組のタイトル表示領域に、ユーザが文字列を入力する際に、特定の条件に基づいて、候補となる文字列を予め表示させるの手順の一例を示すフローチャート。
【図８】図１に示した映像記録装置において、モニタ装置が表示可能に出力される「番組ナビ（メインメニュー）」画面の表示例を示す概略図。
【図９】図１に示した映像記録装置において、モニタ装置が表示可能に出力される「番組ナビ（録画予約一覧）」画面の表示例を示す概略図。
【図１０】図１に示した映像記録装置において、モニタ装置が表示可能に出力される「文字入力」画面の表示例を示す概略図。
【符号の説明】
【００９３】
１…映像記録装置、１０…記録／再生部、２０…データ処理部、２４…音声映像処理部、３０…映像入力部、４０…映像出力部、４４…映像／音声出力端、５０…主制御部、５２…ＭＰＵ、５４…ＯＳＤ、６０…録画制御部、６１…録画情報制御部、６２…番組表生成部、６３…録画予約制御部、６４…ユーザ辞書（辞書）、７０…表示制御部、７３…操作部、１０１…サーバ。
【図１】
2007299217.tif 000003
【図２】
2007299217.tif 000004
【図３】
2007299217.tif 000005
【図４】
2007299217.tif 000006
【図５】
2007299217.tif 000007
【図６】
2007299217.tif 000008
【図７】
2007299217.tif 000009
【図８】
2007299217.tif 000010
【図９】
2007299217.tif 000011
【図１０】
2007299217.tif 000012